(57)【要約】【課題】燃料電池の発電により発生した熱を燃料電池発電装置のパッケージの壁面（表面）から放熱する。【解決手段】燃料電池発電装置のパッケージ１に、少なくとも燃料ガスおよび空気が供給されて発電を行う燃料電池と、この燃料電池の発電により発生する熱を冷却水により冷却するための冷却水配管とを収納し、冷却水配管の一部（１０）をパッケージ１の壁面に接触させる、または、パッケージ１の壁面の一部として構成することでパッケージ外へ放熱する。【選択図】図２
2005347017.tif 000002
【特許請求の範囲】
【請求項１】
少なくとも燃料ガスおよび空気が供給されて発電を行う燃料電池と、この燃料電池の発電により発生する熱を冷却水により冷却するための冷却水配管とが収納される燃料電池発電装置のパッケージにおいて、
前記冷却水配管の一部を前記パッケージの壁面に接触させる、または、前記パッケージの壁面の一部として構成することで前記パッケージ外へ放熱することを特徴とする燃料電池発電装置のパッケージ。
【請求項２】
少なくとも燃料ガスおよび空気が供給されて発電を行う燃料電池と、この燃料電池の発電により発生する熱を吸熱するための熱移動手段と、前記熱移動手段に設けられた熱交換器を介して熱交換される冷却水配管とが収納される燃料電池発電装置のパッケージにおいて、
前記冷却水配管の一部を前記パッケージの壁面に接触させる、または、前記パッケージの壁面の一部として構成することで前記パッケージ外へ放熱することを特徴とする燃料電池発電装置のパッケージ。
【請求項３】
前記パッケージの壁面に接触せしめられた、あるいは、前記パッケージの壁面の一部として構成された前記冷却水配管の一部の内側に断熱材を配置したことを特徴とする請求項１又は２に記載の燃料電池発電装置のパッケージ。
【請求項４】
燃料電池を具備する燃料電池発電装置の排熱処理装置において、前記燃料電池から排出された熱を燃料電池発電装置パッケージの系外に放熱するために前記燃料電池発電装置パッケージの外部に配置された第１冷却器と、前記燃料電池から排出された熱を前記燃料電池発電装置パッケージの系外に放熱するために前記燃料電池発電装置パッケージの内部に配置された第２冷却器とを設けたことを特徴とする燃料電池発電装置の排熱処理装置。
【請求項５】
前記第２冷却器の冷却水配管を前記燃料電池発電装置パッケージの外側表面に配置し、前記第２冷却器の冷却水配管の内側に断熱材を配置したことを特徴とする請求項４に記載の燃料電池発電装置の排熱処理装置。
【請求項６】
前記燃料電池発電装置パッケージの外側表面に冷却フィンを配置し、前記第２冷却器の冷却水配管を前記冷却フィンに隣接して配置したことを特徴とする請求項４に記載の燃料電池発電装置の排熱処理装置。
【請求項７】
前記第２冷却器の冷却水配管の内側に断熱材を配置したことを特徴とする請求項６に記載の燃料電池発電装置の排熱処理装置。
【発明の詳細な説明】
【技術分野】
【０００１】
本発明は、少なくとも燃料ガスおよび空気が供給されて発電を行う燃料電池と、この燃料電池の発電により発生する熱を冷却水により冷却するための冷却水配管とが収納される燃料電池発電装置のパッケージに関し、特には、燃料電池の発電により発生した熱をパッケージの壁面（表面）から放熱することができる燃料電池発電装置のパッケージに関する。
【０００２】
更に、本発明は、燃料電池を具備する燃料電池発電装置の排熱処理装置に関し、特には、燃料電池発電装置パッケージの外部に配置された冷却器、または、燃料電池発電装置パッケージの内部に配置された冷却器が、必要以上に大型化せしめられてしまうのを回避することができる燃料電池発電装置の排熱処理装置に関する。
【背景技術】
【０００３】
従来から、燃料電池本体（燃料電池）と、改質装置（燃料改質器）とを具備する燃料電池システムが知られている。この種の燃料電池システムの例としては、例えば特開２００３−１６８４６１号公報に記載されたものがある。特開２００３−１６８４６１号公報には、ラジエータとラジエータファンとによって熱交換された冷却水を循環させることによって、パッケージ内に配設された燃料電池本体が冷却される旨が記載されている。また、特開２００３−１６８４６１号公報に記載された燃料電池システムでは、ラジエータとラジエータファンとが燃料電池システムのパッケージ内に配置されている。つまり、特開２００３−１６８４６１号公報に記載された燃料電池システムでは、燃料電池本体から排出された熱を燃料電池システムのパッケージの系外に放熱するために、燃料電池システムのパッケージの内部に冷却器としてラジエータとラジエータファンとが設けられている。
【０００４】
図７は他の従来の燃料電池発電装置の排熱処理装置を示した図である。図７において、１は燃料電池発電装置のパッケージ、２は燃料電池発電装置のパッケージ１内に配置された熱交換器、５はポンプ、６は制御弁、７は燃料電池発電装置のパッケージ１の外部に配置された冷却器、８は冷却水温度計である。図７に示すように、他の従来の燃料電池発電装置の排熱処理装置では、燃料電池発電装置のパッケージ１内に配置された燃料電池（図示せず）や燃料改質器（図示せず）から排出された熱は、熱交換器２に循環せしめられる冷却水を介して燃料電池発電装置のパッケージ１の系外に排出される。次いで、燃料電池発電装置のパッケージ１の系外に設置された冷却器７に送られる冷却水量が、制御弁６により所定の温度になるように調整される。つまり、図７に示した従来の燃料電池発電装置の排熱処理装置では、燃料電池や燃料改質器から排出された熱を燃料電池発電装置のパッケージ１の系外に放熱するために、燃料電池発電装置のパッケージの外部に冷却器７が設けられている。
【０００５】
上述したように、従来においては、燃料電池や燃料改質器から排出された熱を燃料電池発電装置パッケージの系外に放熱するために燃料電池発電装置パッケージの内部、あるいは、外部に冷却器が１つのみ設けられていた。そのため、従来においては、燃料電池発電装置の定格負荷運転時に燃料電池および燃料改質器から排出された熱を燃料電池発電装置パッケージの系外に放熱できるように、定格負荷運転に合わせた処理能力が冷却器に設定されていた。その結果、冷却器が大型化してしまい、燃料電池発電装置の中間負荷運転時には、冷却器の処理能力が過剰になっていた。
【０００６】
【特許文献１】特開２００３−１６８４６１号公報
【発明の開示】
【発明が解決しようとする課題】
【０００７】
前記問題点に鑑み、本発明は、燃料電池の発電により発生した熱を燃料電池発電装置のパッケージの壁面（表面）から放熱することができる燃料電池発電装置のパッケージを提供することを目的とする。
【０００８】
更に、本発明は、燃料電池発電装置パッケージの外部に配置された冷却器、または、燃料電池発電装置パッケージの内部に配置された冷却器が、必要以上に大型化せしめられてしまうのを回避することができる燃料電池発電装置の排熱処理装置を提供することを目的とする。
【課題を解決するための手段】
【０００９】
請求項１に記載の発明によれば、少なくとも燃料ガスおよび空気が供給されて発電を行う燃料電池と、この燃料電池の発電により発生する熱を冷却水により冷却するための冷却水配管とが収納される燃料電池発電装置のパッケージにおいて、前記冷却水配管の一部を前記パッケージの壁面に接触させる、または、前記パッケージの壁面の一部として構成することで前記パッケージ外へ放熱することを特徴とする燃料電池発電装置のパッケージが提供される。
【００１０】
請求項２に記載の発明によれば、少なくとも燃料ガスおよび空気が供給されて発電を行う燃料電池と、この燃料電池の発電により発生する熱を吸熱するための熱移動手段と、前記熱移動手段に設けられた熱交換器を介して熱交換される冷却水配管とが収納される燃料電池発電装置のパッケージにおいて、前記冷却水配管の一部を前記パッケージの壁面に接触させる、または、前記パッケージの壁面の一部として構成することで前記パッケージ外へ放熱することを特徴とする燃料電池発電装置のパッケージが提供される。
【００１１】
請求項３に記載の発明によれば、前記パッケージの壁面に接触せしめられた、あるいは、前記パッケージの壁面の一部として構成された前記冷却水配管の一部の内側に断熱材を配置したことを特徴とする請求項１又は２に記載の燃料電池発電装置のパッケージが提供される。
【００１２】
請求項４に記載の発明によれば、燃料電池を具備する燃料電池発電装置の排熱処理装置において、前記燃料電池から排出された熱を燃料電池発電装置パッケージの系外に放熱するために前記燃料電池発電装置パッケージの外部に配置された第１冷却器と、前記燃料電池から排出された熱を前記燃料電池発電装置パッケージの系外に放熱するために前記燃料電池発電装置パッケージの内部に配置された第２冷却器とを設けたことを特徴とする燃料電池発電装置の排熱処理装置が提供される。
【００１３】
請求項５に記載の発明によれば、前記第２冷却器の冷却水配管を前記燃料電池発電装置パッケージの外側表面に配置し、前記第２冷却器の冷却水配管の内側に断熱材を配置したことを特徴とする請求項４に記載の燃料電池発電装置の排熱処理装置が提供される。
【００１４】
請求項６に記載の発明によれば、前記燃料電池発電装置パッケージの外側表面に冷却フィンを配置し、前記第２冷却器の冷却水配管を前記冷却フィンに隣接して配置したことを特徴とする請求項４に記載の燃料電池発電装置の排熱処理装置が提供される。
【００１５】
請求項７に記載の発明によれば、前記第２冷却器の冷却水配管の内側に断熱材を配置したことを特徴とする請求項６に記載の燃料電池発電装置の排熱処理装置が提供される。
【発明の効果】
【００１６】
請求項１に記載の燃料電池発電装置のパッケージでは、燃料電池の発電により発生する熱を冷却水により冷却するための冷却水配管の一部が、パッケージの壁面に接触せしめられる、あるいは、パッケージの壁面の一部として構成されることにより、パッケージ外へ放熱が行われる。そのため、燃料電池の発電により発生した熱を燃料電池発電装置のパッケージの壁面（表面）から放熱することができる。
【００１７】
請求項２に記載の燃料電池発電装置のパッケージでは、燃料電池の発電により発生する熱を吸熱するための熱移動手段に設けられた熱交換器を介して熱交換される冷却水配管の一部が、パッケージの壁面に接触せしめられる、あるいは、パッケージの壁面の一部として構成されることにより、パッケージ外へ放熱が行われる。そのため、燃料電池の発電により発生した熱を燃料電池発電装置のパッケージの壁面（表面）から放熱することができる。
【００１８】
請求項３に記載の燃料電池発電装置のパッケージでは、パッケージの壁面に接触せしめられた、あるいは、パッケージの壁面の一部として構成された冷却水配管の一部の内側に断熱材が配置されている。そのため、冷却水により吸熱された熱が、冷却水配管から燃料電池発電装置のパッケージの内側に向かって放熱されてしまうのを抑制することができる。
【００１９】
請求項４に記載の燃料電池発電装置の排熱処理装置では、燃料電池から排出された熱を燃料電池発電装置パッケージの系外に放熱するために、燃料電池発電装置パッケージの外部に配置された第１冷却器と、燃料電池発電装置パッケージの内部に配置された第２冷却器とが設けられている。つまり、燃料電池から排出された熱を燃料電池発電装置パッケージの系外に放熱するために、燃料電池発電装置パッケージの外部に配置された第１冷却器と、燃料電池発電装置パッケージの内部に配置された第２冷却器とが別個に設けられている。詳細には、例えば燃料電池発電装置の定格負荷運転時には第１冷却器および第２冷却器の両方が用いられ、例えば燃料電池発電装置の中間負荷運転時には第１冷却器のみが用いられる。そのため、燃料電池発電装置パッケージの外部に配置された冷却器、または、燃料電池発電装置パッケージの内部に配置された冷却器が、必要以上に大型化せしめられてしまうのを回避することができる。詳細には、燃料電池からの排熱処理の一部を、燃料電池発電装置パッケージの内部に配置された第２冷却器に担わせることにより、燃料電池発電装置パッケージの外部に配置された第１冷却器の処理能力を縮小することができる。つまり、第１冷却器の処理能力を燃料電池発電装置の定格排熱容量以下に設定することにより、第１冷却器を小さくすることができ、低コスト化および省スペース化を達成することができる。
【００２０】
請求項５に記載の燃料電池発電装置の排熱処理装置では、燃料電池発電装置パッケージの外側表面に配置された第２冷却器の冷却水配管の内側に断熱材が配置されている。そのため、冷却水により吸熱された熱が、燃料電池発電装置パッケージの外側表面に配置された第２冷却器の冷却水配管から燃料電池発電装置パッケージの内側に向かって放熱されてしまうのを抑制することができる。詳細には、第２冷却器の冷却水配管の一部が燃料電池発電装置パッケージの外側表面に接触せしめられている。
【００２１】
請求項６に記載の燃料電池発電装置の排熱処理装置では、第２冷却器の冷却水配管が、燃料電池発電装置パッケージの外側表面に配置された冷却フィンに隣接して配置されている。そのため、冷却フィンが設けられていない場合よりも効率的に第２冷却器の冷却水配管から燃料電池発電装置パッケージの系外に放熱を行うことができる。
【００２２】
請求項７に記載の燃料電池発電装置の排熱処理装置では、燃料電池発電装置パッケージの外側表面に配置された冷却フィンに隣接して配置された第２冷却器の冷却水配管の内側に断熱材が配置されている。そのため、冷却水により吸熱された熱が、第２冷却器の冷却水配管から燃料電池発電装置パッケージの内側に向かって放熱されてしまうのを抑制することができる。
【発明を実施するための最良の形態】
【００２３】
図１は本発明の燃料電池発電装置の排熱処理装置の第１の実施形態の概略システム系統図である。図１において、図７に示した参照番号と同一の参照番号は、図７に示した部品と同一の部品を示しており、３は制御弁、４は熱交換器２で冷却水により吸熱された熱を燃料電池発電装置のパッケージ１の系外に放熱するために燃料電池発電装置のパッケージ１の内部に配置された冷却器である。
【００２４】
図１に示すように、第１の実施形態の燃料電池発電装置の排熱処理装置では、冷却水温度計８により検出される冷却水の温度を所定の温度に保つために、冷却器７に送られる冷却水量が、制御弁６によって調節される。制御弁６が全開されると、制御弁３により、燃料電池発電装置のパッケージ１の内部に配置された冷却器４に冷却水が送られる。
【００２５】
図２は図１に示した燃料電池発電装置のパッケージ１の斜視図である。図２において、１０は燃料電池発電装置のパッケージ１の外側表面に配置された冷却器４の冷却水配管である。図３は図２に示した冷却水配管１０などの断面図である。図３において、９は冷却器４の冷却水配管１０の内側に配置された断熱材である。
【００２６】
図２および図３に示すように、第１の実施形態では、燃料電池発電装置のパッケージ１の内部に配置された冷却器４の冷却水配管１０は、燃料電池発電装置のパッケージ１の外側表面に接触せしめられている。図示しないが、第１の実施形態の変形例では、代わりに、冷却水配管１０を、燃料電池発電装置のパッケージ１の壁面の一部として一体構成するように形成しても良い。
【００２７】
つまり、第１の実施形態およびその変形例では、燃料電池の発電により発生する熱を冷却水により冷却するための冷却水配管１０の一部が、図２および図３に示したように燃料電池発電装置のパッケージ１の壁面に接触せしめられるか、あるいは、燃料電池発電装置のパッケージ１の壁面の一部として構成されることにより、燃料電池発電装置のパッケージ外へ放熱が行われる。そのため、燃料電池の発電により発生した熱を燃料電池発電装置のパッケージ１の壁面（表面）から放熱することができる。更に、燃料電池発電装置のパッケージ１の外部に配置された冷却器７の容量を小さくコンパクト化することができる。
【００２８】
更に、第１の実施形態およびその変形例では、図３に示したように、燃料電池発電装置のパッケージ１の外側表面に配置された冷却器４の冷却水配管１０の内側に断熱材９が配置されている。つまり、図３に示したように燃料電池発電装置のパッケージ１の壁面に接触せしめられた冷却水配管１０の一部の内側に断熱材９が配置されているか、あるいは、燃料電池発電装置のパッケージ１の壁面の一部として構成された冷却水配管（図示せず）の一部の内側に断熱材が配置されている。そのため、冷却水により吸熱された熱が、冷却水配管１０から燃料電池発電装置のパッケージ１の内側に向かって放熱されてしまうのを抑制することができる。
【００２９】
詳細には、第１の実施形態の燃料電池発電装置の排熱処理装置では、燃料電池（図示せず）や燃料改質器（図示せず）から排出された熱を冷却する媒体（例えば水、ガスなど）を熱交換器２まで移動させる熱移動手段としての流路（図示せず）が設けられている。つまり、熱移動手段としての流路が、燃料電池（図示せず）や燃料改質器（図示せず）から熱交換器２まで延びている。更に、図１に示したように、熱交換器２において媒体から熱を受け取った冷却水を冷却器４，７まで移動させるための冷却水配管が設けられている。つまり、冷却水配管が熱交換器２から冷却器４，７まで延びている。
【００３０】
更に、第１の実施形態の燃料電池発電装置の排熱処理装置では、熱交換器２において媒体から受け取った熱が、燃料電池発電装置のパッケージ１の外部に配置された冷却器７から、燃料電池発電装置のパッケージ１の系外に放熱される。また、熱交換器２において媒体から受け取った熱が、燃料電池発電装置のパッケージ１の内部に配置された冷却器４から、燃料電池発電装置のパッケージ１の系外に放熱される。
【００３１】
つまり、燃料電池（図示せず）や燃料改質器（図示せず）から排出された熱を燃料電池発電装置のパッケージ１の系外に放熱するために、燃料電池発電装置のパッケージ１の外部に配置された冷却器７と、燃料電池発電装置のパッケージ１の内部に配置された冷却器４とが別個に設けられている。詳細には、例えば燃料電池発電装置の定格負荷運転時には冷却器７および冷却器４の両方が用いられ、例えば燃料電池発電装置の中間負荷運転時には冷却器７のみが用いられる。そのため、従来の場合のように燃料電池発電装置のパッケージの外部に配置された冷却器、または、燃料電池発電装置パッケージの内部に配置された冷却器が、必要以上に大型化せしめられてしまうのを回避することができる。
【００３２】
詳細には、燃料電池（図示せず）や燃料改質器（図示せず）からの排熱処理の一部を、燃料電池発電装置のパッケージ１の内部に配置された冷却器４に担わせることにより、燃料電池発電装置のパッケージ１の外部に配置された冷却器７の処理能力を縮小することができる。
【００３３】
更に、第１の実施形態の燃料電池発電装置の排熱処理装置では、燃料電池発電装置パッケージ１の外側表面に配置された冷却器４の冷却水配管１０から燃料電池発電装置パッケージ１の内側に向かって放熱が行われないように、つまり、冷却水配管１０からの放熱が燃料電池発電装置のパッケージ１の内部に到達しないように、冷却水配管１０の内側に断熱材９が配置されている。すなわち、冷却水配管１０の内側が断熱材９によって覆われている。
【００３４】
上述したように、第１の実施形態では、燃料電池（図示せず）や燃料改質器（図示せず）から排出された熱が、媒体、熱交換器２、冷却水、および、冷却器４，７を介して燃料電池発電装置のパッケージ１の系外に放熱されているが、第１の実施形態の変形例では、代わりに、媒体および熱交換器２を介することなく、燃料電池（図示せず）や燃料改質器（図示せず）から排出された熱が、冷却水および冷却器４，７を介して燃料電池発電装置のパッケージ１の系外に放熱されるようにしても良い。
【００３５】
更に、図２および図３に示したように、第１の実施形態では、燃料電池発電装置のパッケージ１の壁面外部の近く、つまり、冷却水配管１０の近くに例えばファンなどのような送風手段が設けられていないが、第１の実施形態の変形例では、燃料電池発電装置のパッケージ１の壁面外部の近く、つまり、冷却水配管１０の近くに例えばファンなどのような送風手段を設けても良い。それにより、冷却水配管１０からの放熱を促進することができる。また、燃料電池発電装置のパッケージ１が設置されている設備自体から放熱させることができる。
【００３６】
以下、本発明の燃料電池発電装置の排熱処理装置の第２の実施形態について説明する。図４は本発明の燃料電池発電装置の排熱処理装置の第２の実施形態の概略システム系統図である。図４において、図１および図７に示した参照番号と同一の参照番号は、図１および図７に示した部品と同一の部品を示している。
【００３７】
図４に示すように、第２の実施形態の燃料電池発電装置の排熱処理装置では、燃料電池発電装置のパッケージ１の内部に配置された冷却器４において冷却水が予め冷却され、冷却水温度計８により検出される冷却水の温度を所定の温度に保つために、冷却器７に送られる冷却水量が、制御弁６によって調節される。
【００３８】
第２の実施形態の燃料電池発電装置の排熱処理装置では、図２および図３に示した第１の実施形態の燃料電池発電装置の排熱処理装置と同様に、燃料電池発電装置のパッケージ１の内部に配置された冷却器４の冷却水配管１０が、燃料電池発電装置パッケージ１の外側表面に接触せしめられている。更に、燃料電池発電装置パッケージ１の外側表面に配置された冷却器４の冷却水配管１０から燃料電池発電装置パッケージ１の内側に向かって放熱が行われないように、つまり、冷却水配管１０からの放熱が燃料電池発電装置のパッケージ１の内部に到達しないように、冷却水配管１０の内側に断熱材９が配置されている。すなわち、冷却水配管１０の内側が断熱材９によって覆われている。
【００３９】
第１の実施形態の変形例と同様に、第２の実施形態の変形例でも、燃料電池発電装置のパッケージ１の壁面外部の近く、つまり、冷却水配管１０の近くに例えばファンなどのような送風手段を設けても良い。
【００４０】
以下、本発明の燃料電池発電装置の排熱処理装置の第３の実施形態について説明する。第３の実施形態の燃料電池発電装置の排熱処理装置は、後述する点を除き、図１に示した第１の実施形態の燃料電池発電装置の排熱処理装置と同様に構成されている。そのため、後述する点を除き、上述した第１の実施形態の燃料電池発電装置の排熱処理装置とほぼ同様の効果を奏することができる。
【００４１】
図５は第３の実施形態の燃料電池発電装置のパッケージ１の斜視図である。図５において、１１は燃料電池発電装置のパッケージ１の外側表面に配置された冷却フィンである。図６は図５に示した冷却フィン１１などの断面図である。
【００４２】
図５および図６に示すように、第３の実施形態の燃料電池発電装置の排熱処理装置では、燃料電池発電装置のパッケージ１の外側表面に冷却フィン１１が配置され、冷却器４の冷却水配管１０が冷却フィン１１に隣接して配置されている。更に、燃料電池発電装置パッケージ１の外側表面に配置された冷却器４の冷却水配管１０から燃料電池発電装置パッケージ１の内側に向かって放熱が行われないように、つまり、冷却水配管１０からの放熱が燃料電池発電装置のパッケージ１の内部に到達しないように、冷却水配管１０の内側に断熱材９が配置されている。すなわち、冷却水配管１０の内側が断熱材９によって覆われている。
【００４３】
第３の実施形態の燃料電池発電装置の排熱処理装置では、図６に示したように、冷却器４の冷却水配管１０が、燃料電池発電装置のパッケージ１の外側表面に配置された冷却フィン１１に隣接して配置されている。そのため、冷却フィンが設けられていない場合よりも効率的に冷却器４の冷却水配管１０から燃料電池発電装置のパッケージ１の系外に放熱を行うことができる。
【００４４】
更に、第３の実施形態の燃料電池発電装置の排熱処理装置では、図６に示したように、燃料電池発電装置のパッケージ１の外側表面に配置された冷却フィン１１に隣接して配置された冷却器４の冷却水配管１０の内側に断熱材９が配置されている。そのため、熱交換器２で冷却水により吸熱された熱が、冷却器４の冷却水配管１０から燃料電池発電装置のパッケージ１の内側に向かって放熱されてしまうのを抑制することができる。
【００４５】
第１の実施形態の変形例と同様に、第３の実施形態の変形例でも、燃料電池発電装置のパッケージ１の壁面外部の近く、つまり、冷却水配管１０の近くに例えばファンなどのような送風手段を設けても良い。
【００４６】
以下、本発明の燃料電池発電装置の排熱処理装置の第４の実施形態について説明する。第４の実施形態では、図４に示した燃料電池発電装置の排熱処理装置に、図５および図６に示した断熱材９、冷却水配管１０および冷却フィン１１が適用されている。すなわち、第４の実施形態の燃料電池発電装置の排熱処理装置では、図５および図６に示したように、燃料電池発電装置のパッケージ１の外側表面に冷却フィン１１が配置され、冷却器４の冷却水配管１０が冷却フィン１１に隣接して配置されている。更に、燃料電池発電装置パッケージ１の外側表面に配置された冷却器４の冷却水配管１０から燃料電池発電装置パッケージ１の内側に向かって放熱が行われないように、つまり、冷却水配管１０からの放熱が燃料電池発電装置のパッケージ１の内部に到達しないように、冷却水配管１０の内側に断熱材９が配置されている。すなわち、冷却水配管１０の内側が断熱材９によって覆われている。
【００４７】
第１の実施形態の変形例と同様に、第４の実施形態の変形例でも、燃料電池発電装置のパッケージ１の壁面外部の近く、つまり、冷却水配管１０の近くに例えばファンなどのような送風手段を設けても良い。
【図面の簡単な説明】
【００４８】
【図１】本発明の燃料電池発電装置の排熱処理装置の第１の実施形態の概略システム系統図である。
【図２】図１に示した燃料電池発電装置のパッケージ１の斜視図である。
【図３】図２に示した冷却水配管１０などの断面図である。
【図４】本発明の燃料電池発電装置の排熱処理装置の第２の実施形態の概略システム系統図である。
【図５】第３の実施形態の燃料電池発電装置のパッケージ１の斜視図である。
【図６】図５に示した冷却フィン１１などの断面図である。
【図７】他の従来の燃料電池発電装置の排熱処理装置を示した図である。
【符号の説明】
【００４９】
１    パッケージ
２    熱交換器
３    制御弁
４    冷却器
５    ポンプ
６    制御弁
７    冷却器
８    冷却水温度計
９    断熱材
１０  冷却水配管
１１  冷却フィン
【図１】
2005347017.tif 000003
【図２】
2005347017.tif 000004
【図３】
2005347017.tif 000005
【図４】
2005347017.tif 000006
【図５】
2005347017.tif 000007
【図６】
2005347017.tif 000008
【図７】
2005347017.tif 000009